(57)【要約】【課題】アイスクリームコーン等の可食容器を確実に保護できる段ボール製の緩衝材を提供する。【解決手段】段ボールシートに切込を入れて、基板１となる部分と、可食容器の錐部を受け止めるテーパー状の錐受片２と、可食容器の大径部が並んだ列を受け止める列受片３とを形成し、錐受片２と列受片３とをプレス成形加工により、可食容器に沿うように湾曲させ、可食容器の収納凹所１４を形成する。基板１の両端に対向する端壁４，５を立設し、一方の端壁４を外端板６と内端板８とを備えた二重構造として、可食容器の錐部先端が外端板６に当接しないように、内端板８に設けた端入穴１０の大きさを設定する。交互に向きを変えて積み重ねたとき、下段側緩衝材に収納した可食容器が上段側緩衝材の錐受片２で押さえられて保持され、上下段の緩衝材の積みずれが防止されるようにする。【選択図】図５
2006335457.tif 000002
【特許請求の範囲】
【請求項１】
錐状の可食容器を積み重ねて列をなす状態で保持する可食容器用緩衝材において、段ボールシートに切込を入れて、基板１となる部分と、可食容器の錐部を受け止めるテーパー状の錐受片２と、可食容器の大径部が並んだ列を受け止める列受片３とを形成し、錐受片２と列受片３とをプレス成形加工により、可食容器に沿うように湾曲させ、可食容器の収納凹所１４を形成したことを特徴とする可食容器用緩衝材。
【請求項２】
請求項１に記載の可食容器用緩衝材において、基板１の両端に対向する端壁４，５を立設し、一方の端壁４を外端板６と内端板８とを備えた二重構造として、内端板８に積み重ねた可食容器の錐部側の先端部分を挿入する端入穴１０を形成し、可食容器の錐部先端が外端板６に当接しないように、端入穴１０の大きさを設定したことを特徴とする可食容器用緩衝材。
【請求項３】
請求項１又は２に記載の可食容器用緩衝材において、緩衝材を交互に向きを変えて積み重ねたとき、下段側緩衝材に収納した可食容器が上段側緩衝材の錐受片２で押さえられて保持され、上下段の緩衝材が嵌合して、積みずれが防止されるようにしたことを特徴とする可食容器用緩衝材。
【発明の詳細な説明】
【技術分野】
【０００１】
この発明は、アイスクリームコーンに代表される各種冷菓、その他の菓子類を盛り付ける略円錐形又は略角錐形をした可食容器の包装に使用する緩衝材に関するものである。
【背景技術】
【０００２】
一般に、アイスクリームを盛り付けるアイスクリームコーンの輸送に際しては、多数のアイスクリームコーンを積み重ねて列をなす状態で、緩衝材に保持されるように載せ、外箱に収納するようにしている。この緩衝材としては、アイスクリームコーンの収納凹所を形成したプラスチックフィルム製のエアクッションが使用されている。
【発明の開示】
【発明が解決しようとする課題】
【０００３】
しかしながら、エアクッションの緩衝材では、外箱との摩擦等により微小な穴が発生すると、その穴から空気が漏れて萎んでしまい、緩衝性が損なわれて、アイスクリームコーンが破損することがある。
【０００４】
そこで、この発明は、アイスクリームコーン等の可食容器を確実に保護できる段ボール製の緩衝材を提供することを課題とする。
【課題を解決するための手段】
【０００５】
上記課題を解決するため、この発明は、錐状の可食容器を積み重ねて列をなす状態で保持する可食容器用緩衝材において、段ボールシートに切込を入れて、基板となる部分と、可食容器の錐部を受け止めるテーパー状の錐受片と、可食容器の大径部が並んだ列を受け止める列受片とを形成し、錐受片と列受片とをプレス成形加工により、可食容器に沿うように湾曲させ、可食容器の収納凹所を形成したのである。
【０００６】
また、前記基板の両端に対向する端壁を立設し、一方の端壁を外端板と内端板とを備えた二重構造として、内端板に積み重ねた可食容器の錐部側の先端部分を挿入する端入穴を形成し、可食容器の錐部先端が外端板に当接しないように、端入穴の大きさを設定したのである。
【０００７】
さらに、緩衝材を交互に向きを変えて積み重ねたとき、下段側緩衝材に収納した可食容器が上段側緩衝材の錐受片で押さえられて保持され、上下段の緩衝材が嵌合して、積みずれが防止されるようにしたのである。
【発明の効果】
【０００８】
この発明に係る緩衝材では、プレス加工で湾曲した錐受片と列受片によりアイスクリームコーンの移動が阻止されるので、輸送時におけるアイスクリームコーンの破損が防止され、また、空気漏れ等により緩衝性が損なわれることもないので、型崩れのないアイスクリームコーンを店頭に届けることができる。
【発明を実施するための最良の形態】
【０００９】
以下、この発明の可食容器用緩衝材の一例として、アイスクリームコーン用緩衝材の実施形態を添付図面に基づいて説明する。
【００１０】
このアイスクリームコーン用緩衝材は、図１に示すような段ボール製のブランクから形成される。このブランクでは、段ボールシートに切込を入れて、基板１となる部分と、アイスクリームコーンの円錐部を受け止めるテーパー状の錐受片２と、アイスクリームコーンの大径部が並んだ列を受け止める列受片３とが５列並んで形成されている。段ボールシートの段目は、錐受片２と列受片３の長さ方向に向いている。
【００１１】
基板１の両端には端壁４，５が連設され、端壁４は基板１に順次繋がる外端板６、頂板７及び内端板８から成り、基板１の両側には側壁９が連設されている。内端板８には、錐受片２の延長上に、アイスクリームコーンの円錐部側の先端部分を挿入する端入穴１０が設けられ、頂板７には、端入穴１０に連通する切目が入れられている。
【００１２】
端壁５には、列受片３側への切込により脚片１１が突設され、外端板６から頂板７にかけては、脚片１１に対応して脚入穴１２が設けられている。また、外端板６には、基板１への切込により２個の脚片１３が突設されている。
【００１３】
上記のようなブランクから緩衝材を形成するには、図２に示すように、まず、ブランクの段ボールシートをプレス型の間に挟み、加熱圧縮することにより、錐受片２と列受片３とを、収納するアイスクリームコーンＣの外周に沿って湾曲するように塑性変形させ、アイスクリームコーンＣの収納凹所１４を形成する。
【００１４】
そして、この緩衝材を組み立てて使用する際には、図２乃至図４に示すように、基板１から端壁４の外端板６、端壁５及び各側壁９を起立させて、脚片１１，１３を基板１から下方へ突出させ、頂板７及び内端板８を巻き込むように折り曲げて、二重構造の端壁４を形成し、内端板８の先端の突起を脚片１３の抜出穴に挿入して、端壁４を保形する。
【００１５】
次に、列をなすように積み重ねたアイスクリームコーンＣを、５列に並んだ収納凹所１４のそれぞれに嵌め込むように収納し、各列のアイスクリームコーンＣの円錐部側の先端部分を、端壁４の端入穴１０に頂板７の切目を介して挿入する。
【００１６】
このような緩衝材にアイスクリームコーンＣを収納すると、プレス加工で湾曲した錐受片２と列受片３によりアイスクリームコーンＣの移動が阻止され、また、端入穴１０の大きさは、アイスクリームコーンＣの円錐部先端が外端板６に当接しない大きさに設定されているので、輸送時におけるアイスクリームコーンＣの破損が防止される。
【００１７】
また、図５及び図６に示すように、この緩衝材を交互に向きを変えて積み重ね、上段側緩衝材の脚片１１を下段側緩衝材の脚入穴１２に挿入すると、上段側緩衝材の脚片１１，１３で下段側緩衝材が抱き込まれて、積みずれが防止されるので、安定した状態で複数の緩衝材を同時に運搬することができる。
【００１８】
また、このとき、上段側緩衝材は、下段側緩衝材の端壁４，５で支持され、下段側緩衝材に収納したアイスクリームコーンＣが上段側緩衝材の錐受片２で押さえられて保持されるので、輸送時の振動等によるアイスクリームコーンＣの破損が防止される。
【００１９】
さらに、このように緩衝材を積み重ねた状態で、図７に示すように、外箱Ｂに収納すると、効率的に集合包装することができ、この包装状態で輸送すると、外箱Ｂの内面への衝突によるアイスクリームコーンＣの破損が防止され、エアクッションの緩衝材のように、空気漏れにより緩衝性が損なわれることもないので、型崩れのないアイスクリームコーンＣを店頭に届けることができる。
【図面の簡単な説明】
【００２０】
【図１】この発明の実施形態に係る緩衝材のブランクを示す図
【図２】同上の使用状態を示す斜視図
【図３】同上の縦断側面図
【図４】図３のIV−IV線に沿った断面図
【図５】同上の積重ね状態を示す斜視図
【図６】同上の縦断側面図
【図７】同上の外箱への収納状態を示す斜視図
【符号の説明】
【００２１】
１  基板
２  錐受片
３  列受片
４，５  端壁
６  外端板
７  頂板
８  内端板
９  側壁
１０  端入穴
１１，１３  脚片
１２  脚入穴
１４  収納凹所
【図１】
2006335457.tif 000003
【図２】
2006335457.tif 000004
【図３】
2006335457.tif 000005
【図４】
2006335457.tif 000006
【図５】
2006335457.tif 000007
【図６】
2006335457.tif 000008
【図７】
2006335457.tif 000009